(57)【要約】【課題】外部にチューナが接続された場合に適切な処理を実行することが可能な車載用放送受信装置を提供する。【解決手段】車載用放送受信装置に内蔵され、第１信号を出力する内蔵放送受信手段（内蔵チューナ１２）と、車載用放送受信装置に接続され、第１信号よりも解像度が高い映像信号を含む第２信号を出力する外部放送受信手段（外部チューナ２０）からの第２信号を入力する入力手段（マイクロコンピュータ１１）と、映像信号および音声信号を含む信号を記録する記録手段（ＨＤＤ１３）と、映像信号を表示装置に表示させる表示手段（マイクロコンピュータ１１）と、外部放送受信手段の接続状態を検出する検出手段（マイクロコンピュータ１１）と、接続が検出された場合には記録手段が第１信号を記録対象とするように制御する制御手段（マイクロコンピュータ１１）を有する。【選択図】図１
2009267494.tif 000002
【特許請求の範囲】
【請求項１】
放送信号を受信するとともに、外部放送受信手段を接続可能な車載用放送受信装置において、
前記車載用放送受信装置に内蔵され、前記放送信号を受信し、映像信号および音声信号を含む第１信号を出力する内蔵放送受信手段と、
前記外部放送受信手段が接続された場合に、前記内蔵放送受信手段から出力される前記第１信号よりも解像度が高い映像信号を含む第２信号を前記外部放送受信手段から入力する入力手段と、
映像信号および音声信号を含む信号を記録する記録手段と、
映像信号を表示装置に表示させる表示手段と、
前記第２放送受信手段の接続状態を検出する検出手段と、
前記検出手段によって前記第２放送受信手段の接続が検出された場合には、前記記録手段が前記第１信号に含まれる映像信号および音声信号を記録対象とするように制御する制御手段と、
を有することを特徴とする車載用放送受信装置。
【請求項２】
請求項１記載の車載用放送受信装置において、
前記制御手段は、前記記録手段の記録可能容量の残量が所定の値よりも大きい場合には、前記記録手段が前記第２信号を記録対象とするように前記記録手段を制御し、所定の値よりも小さい場合には、前記記録手段が前記第１信号を記録対象とするように制御する、
ことを特徴とする車載用放送受信装置。
【請求項３】
請求項１または２記載の車載用放送受信装置において、
前記制御手段は、前記第２受信手段の受信強度が所定の閾値よりも高いである場合には、前記記録手段が前記第２信号を記録対象とするように前記記録手段を制御し、所定の閾値よりも低い場合には、前記記録手段が前記第１信号を記録対象とするように制御する、
ことを特徴とする車載用放送受信装置。
【請求項４】
請求項１乃至３のいずれか１項記載の車載用放送受信装置において、
第１および第２表示装置を接続可能であり、
前記表示手段は、前記第１信号の表示対象として前記第１表示装置が選択されている場合には、前記第２信号の表示対象として前記第２表示装置を選択し、前記第１信号の表示対象として前記第２表示装置が選択されている場合には、前記第２信号の表示対象として前記第１表示装置を選択する、
ことを特徴とする車載用放送受信装置。
【請求項５】
放送信号を受信するとともに、外部放送受信手段を接続可能な車載用放送受信装置の制御方法において、
前記車載用放送受信装置に内蔵され、前記放送信号を受信し、映像信号および音声信号を含む第１信号を出力する内蔵放送受信ステップと、
前記外部放送受信手段が接続された場合に、前記内蔵放送受信ステップから出力される前記第１信号よりも解像度が高い映像信号を含む第２信号を入力する入力ステップと、
映像信号および音声信号を含む信号を記録する記録ステップと、
映像信号を表示装置に表示させる表示ステップと、
前記第２放送受信手段の接続状態を検出する検出ステップと、
前記検出ステップによって前記第２放送受信手段の接続が検出された場合には、前記記録ステップにより前記第１信号に含まれる映像信号および音声信号を記録対象とするように制御する制御ステップと、
を有することを特徴とする車載用放送受信装置の制御方法。
【請求項６】
放送信号を受信するとともに、外部放送受信手段を接続可能な車載用放送受信装置の制御プログラムにおいて、
前記車載用放送受信装置に内蔵され、前記放送信号を受信し、映像信号および音声信号を含む第１信号を出力する内蔵放送受信手段、
前記外部放送受信手段が接続された場合に、前記内蔵放送受信手段から出力される前記第１信号よりも解像度が高い映像信号を含む第２信号を入力する入力手段、
映像信号および音声信号を含む信号を記録する記録手段、
映像信号を表示装置に表示させる表示手段、
前記第２放送受信手段の接続状態を検出する検出手段、
前記検出手段によって前記第２放送受信手段の接続が検出された場合には、前記記録手段が前記第１信号に含まれる映像信号および音声信号を記録対象とするように制御する制御手段、
としてコンピュータを機能させることを特徴とする車載用放送受信装置の制御プログラム。
【発明の詳細な説明】
【技術分野】
【０００１】
本発明は、車載用放送受信装置、車載用放送受信装置の制御方法および制御プログラムに関する。
【背景技術】
【０００２】
特許文献１には、複数のデコーダを備え、１つは視聴用、１つは録画用として使用するデジタル放送受信装置に関する技術が開示されている。
【特許文献１】特開２００６−１６５８９３号公報
【発明の開示】
【発明が解決しようとする課題】
【０００３】
ところで、デジタル放送受信装置の外部に、チューナ（デコーダ）が接続される場合があるが、このような場合において、外部に接続されたチューナから出力される信号をどのように扱うかは、特許文献１には記載されていない。
【０００４】
本発明は、外部にチューナが接続された場合において、適切な処理を実行することが可能な車載用放送受信装置、車載用放送受信装置の制御方法および制御プログラムを提供することにある。
【課題を解決するための手段】
【０００５】
上記課題を解決するため、本発明の車載用放送受信装置は、放送信号を受信するとともに、外部放送受信手段を接続可能な車載用放送受信装置において、前記車載用放送受信装置に内蔵され、前記放送信号を受信し、映像信号および音声信号を含む第１信号を出力する内蔵放送受信手段と、前記外部放送受信手段が接続された場合に、前記内蔵放送受信手段から出力される前記第１信号よりも解像度が高い映像信号を含む第２信号を入力する入力手段と、映像信号および音声信号を含む信号を記録する記録手段と、映像信号を表示装置に表示させる表示手段と、前記第２放送受信手段の接続状態を検出する検出手段と、前記検出手段によって前記第２放送受信手段の接続が検出された場合には、前記記録手段が前記第１信号に含まれる映像信号および音声信号を記録対象とするように制御する制御手段と、を有することを特徴とする。
このような構成によれば、外部放送受信手段が接続された場合には、第１信号よりも広範囲に亘って受信状況が良好な第２信号に含まれる映像信号および音声信号を記録手段の記録対象とされる。
【０００６】
また、他の発明は、前記制御手段は、前記記録手段の記録可能容量の残量が所定の値よりも大きい場合には、前記記録手段が前記第２信号を記録対象とするように前記記録手段を制御し、所定の値よりも小さい場合には、前記記録手段が前記第１信号を記録対象とするように制御することを特徴とする。
このような構成によれば、記録手段の残量に応じて第１または第２信号が選択されるので、残量に応じた最適な受信信号が記録対象となる。
【０００７】
また、他の発明は、前記制御手段は、前記第２受信手段の受信強度が所定の閾値よりも高い場合には、前記記録手段が前記第２信号を記録対象とするように前記記録手段を制御し、所定の閾値よりも低い場合には、前記記録手段が前記第１信号を記録対象とするように制御することを特徴とする。
このような構成によれば、受信状況に応じて第１または第２信号が選択されるので、受信状況に応じた最適な受信信号が記録対象となる。
【０００８】
また、他の発明は、第１および第２表示装置を接続可能であり、前記表示手段は、前記第１信号の表示対象として前記第１表示装置が選択されている場合には、前記第２信号の表示対象として前記第２表示装置を選択し、前記第１信号の表示対象として前記第２表示装置が選択されている場合には、前記第２信号の表示対象として前記第１表示装置を選択することを特徴とする。
このような構成によれば、表示対象が重複して選択された場合には、自動的に表示対象を修正することができる。
【０００９】
また、本発明は、放送信号を受信するとともに、外部放送受信手段を接続可能な車載用放送受信装置の制御方法において、前記車載用放送受信装置に内蔵され、前記放送信号を受信し、映像信号および音声信号を含む第１信号を出力する内蔵放送受信ステップと、前記外部放送受信手段が接続された場合に、前記内蔵放送受信ステップから出力される前記第１信号よりも解像度が高い映像信号を含む第２信号を入力する入力ステップと、映像信号および音声信号を含む信号を記録する記録ステップと、映像信号を表示装置に表示させる表示ステップと、前記第２放送受信手段の接続状態を検出する検出ステップと、前記検出ステップによって前記第２放送受信手段の接続が検出された場合には、前記記録ステップにより前記第１信号に含まれる映像信号および音声信号を記録対象とする制御ステップと、を有することを特徴とする。
このような方法によれば、第２放送受信手段が接続された場合には、第１信号よりも広範囲に亘って受信状況が良好な第２信号を記録ステップによる記録対象とされる。
【００１０】
また、本発明は、放送信号を受信するとともに、外部放送受信手段を接続可能な車載用放送受信装置の制御プログラムにおいて、前記車載用放送受信装置に内蔵され、前記放送信号を受信し、映像信号および音声信号を含む第１信号を出力する内蔵放送受信手段、前記外部放送受信手段が接続された場合に、前記内蔵放送受信手段から出力される前記第１信号よりも解像度が高い映像信号を含む第２信号を入力する入力手段、映像信号および音声信号を含む信号を記録する記録手段、映像信号を表示装置に表示させる表示手段、前記第２放送受信手段の接続状態を検出する検出手段、前記検出手段によって前記第２放送受信手段の接続が検出された場合には、前記記録手段が前記第１信号に含まれる映像信号および音声信号を記録対象とするように制御する制御手段、としてコンピュータを機能させることを特徴とする。
このような方法によれば、第２放送受信手段が接続された場合には、第１信号よりも広範囲に亘って受信状況が良好な第２信号を記録手段による記録対象とされる。
【発明の効果】
【００１１】
本発明によれば、外部にチューナが接続された場合において、適切な処理を実行することが可能な車載用放送受信装置、車載用放送受信装置の制御方法および制御プログラムを提供することができる。
【発明を実施するための最良の形態】
【００１２】
（Ａ）第１実施形態の構成
以下、図面を参照して本発明の第１実施形態について説明する。
図１は本発明の第１実施形態の車載用放送受信装置１０を含む車載用放送受信システムの構成例を示す図である。図１に示すように、車載用放送受信システムは、車載用放送受信装置１０、外部チューナ２０、フロントディスプレイ３０、および、リアディスプレイ４０を主要な構成要素としている。
【００１３】
車載用放送受信装置１０は、マイクロコンピュータ１１、内蔵チューナ１２、ＨＤＤ（Hard Disk Drive）１３、スイッチ１４〜１６を有しており、内蔵チューナ１２によって受信された放送信号に含まれる映像信号をフロントディスプレイ３０またはリアディスプレイ４０に供給して表示させるとともに、映像信号および音声信号からなるＡＶ（Audio and Visual）信号をＨＤＤ１３に記録する機能を有する。
【００１４】
ここで、マイクロコンピュータ１１は、ＣＰＵ（Central Processing Unit）、ＲＯＭ（Read Only Memory）、ＲＡＭ（Random Access Memory）等によって構成され、ＨＤＤ１３およびＲＯＭに格納されているプログラムに基づいて装置の各部を制御する。
内蔵チューナ１２は、例えば、地上デジタル放送において、移動体向けに放送されているいわゆるワンセグ放送をアンテナ１２Ａを介して受信して復号することにより、映像信号および音声信号を含むＡＶ信号を生成し、スイッチ１４に対して出力するとともに、ＡＶ信号に対応するデジタル信号としてのＡＶデータをＨＤＤ１３に出力する。なお、内蔵チューナ１２は、例えば、ＯＦＤＭ（Orthogonal Frequency Division Multiplexing）部、ＭＰＥＧ（Moving Picture Experts Group）部、制御部等を主要な構成要素としている。
【００１５】
ＨＤＤ１３は、磁気記録媒体としての磁気ディスクを高速回転させ、磁気ヘッドによって情報を書き込んだり読み出したりすることが可能な記録装置である。ＨＤＤ１３は、マイクロコンピュータ１１が実行するプログラムおよびデータを格納している。また、ＨＤＤ１３は、内蔵チューナ１２またはマイクロコンピュータ１１から供給されたＡＶデータを記録するとともに、マイクロコンピュータ１１から要求がなされた場合には、所定のＡＶデータまたはＡＶ信号を読み出してマイクロコンピュータ１１に供給する。
【００１６】
スイッチ１４は、例えば、半導体スイッチ等によって構成され、マイクロコンピュータ１１により接続状態が制御され、内蔵チューナ１２から出力されるＡＶ信号を、ＨＤＤ１３またはスイッチ１６のいずれか一方に出力する。
【００１７】
スイッチ１５は、例えば、半導体スイッチ等によって構成され、マイクロコンピュータ１１によって接続状態が制御され、外部チューナ２０から出力されるＡＶ信号およびスイッチ１４から出力される信号のいずれか一方を選択し、フロントディスプレイ３０に出力する。
【００１８】
スイッチ１６は、例えば、半導体スイッチ等によって構成され、マイクロコンピュータ１１によって接続状態が制御され、外部チューナ２０から出力されるＡＶ信号およびスイッチ１４から出力される内蔵チューナ１２からのＡＶ信号のいずれか一方を選択し、リアディスプレイ４０に出力する。
【００１９】
外部チューナ２０は、車載用放送受信装置１０に対して着脱自在に接続可能とされており、地上デジタル放送のＨＤＴＶ（High Definition Television）放送、および、ワンセグ放送をアンテナ２０Ａを介して受信し、得られたＡＶ信号（ＨＤＴＶ放送またはワンセグ放送に対応するＡＶ信号）をスイッチ１４に対して出力するとともに、ＡＶ信号に対応するデジタル信号としての放送データをＨＤＤ１３に出力する。なお、外部チューナ２０は、内蔵チューナ１２と同様に、ＯＦＤＭ部、ＭＰＥＧ部、制御部を主要な構成要素としている。
【００２０】
フロントディスプレイ３０は、車両のフロントシートに着座している搭乗者によって視聴可能な位置（例えば、ダッシュボード付近）に設置されるとともに、車載用放送受信装置１０のスイッチ１５に接続され、スイッチ１５を介して供給されるＡＶ信号に含まれている映像信号を再生して表示部に表示させる。
リアディスプレイ４０は、車両のリアシートに着座している搭乗者によって視聴可能な位置（例えば、フロントシートの後部付近）に設置されるとともに、車載用放送受信装置１０のスイッチ１６に接続され、スイッチ１６を介して供給されるＡＶ信号に含まれている映像信号を再生して表示部に表示させる。
なお、ＡＶ信号に含まれている音声信号は、図示せぬ増幅器によってその電力が増幅された後、例えば、フロンドアの内側に設置されているフロントスピーカと、リアボードの上部に取り付けられているリアスピーカから出力される。
【００２１】
（Ｂ）第１実施形態の動作
つぎに、以上の第１実施形態の動作について説明する。図２は、図１に示す車載用放送受信システムにおいて実行される処理の流れを説明するためのフローチャートである。このフローチャートの処理は、車載用放送受信装置１０の電源が投入され、外部機器である外部チューナ２０が、車載用放送受信装置１０に接続された場合に実行される。この処理が開始されると、つぎのステップが実行される。すなわち、ステップＳ１０では、マイクロコンピュータ１１は、外部チューナ２０が接続されたことを、例えば、シリアルバス等の通信によって認識する。なお、この例では、外部チューナ２０をホット接続する（車載用放送受信装置１０の電源が投入された状態で接続する）場合を例に挙げて説明したが、コールド接続する（車載用放送受信装置１０の電源が投入されていない状態で接続する）ことも可能である。その場合には、ステップＳ１０の処理は省略される。どちらの処理を採用するかは、シリアルバス等の種類に応じて決定すればよい。
【００２２】
ステップＳ１１では、マイクロコンピュータ１１は、例えば、シリアルバスを介して外部チューナ２０から接続要求コマンドを受信したか否かを判定し、受信した場合（ステップＳ１１；Ｙｅｓ）には外部チューナ２０が接続されていると判断してステップＳ１２に進み、それ以外の場合（ステップＳ１１；Ｎｏ）には接続要求コマンドの受信待ちの状態となる。
【００２３】
ステップＳ１２では、マイクロコンピュータ１１は、スイッチ１４の接続を、ＨＤＤ１３側に設定する。この結果、内蔵チューナ１２から出力されるＡＶ信号は、ＨＤＤ１３に供給されるので、ＨＤＤ１３は、内蔵チューナ１２から出力されるＡＶ信号を記録可能な状態となる。
【００２４】
ステップＳ１３では、マイクロコンピュータ１１は、スイッチ１５の接続を、外部チューナ２０側に設定するとともに、スイッチ１６の接続を外部チューナ２０側に設定する。ステップＳ１２，Ｓ１３の処理の結果、スイッチ１４〜１６の接続状態は、図１に示すようになる。このような状態においては、外部チューナ２０から出力されたＡＶ信号は、スイッチ１５，１６によってフロントディスプレイ３０およびリアディスプレイ４０に供給される。また、内蔵チューナ１２から出力されたＡＶ信号は、ＨＤＤ１３に供給され、必要に応じてＨＤＤ１３に記録可能な状態となる。
【００２５】
ステップＳ１４では、マイクロコンピュータ１１は、図示せぬ操作画面（またはフロントディスプレイ３０もしくはリアディスプレイ４０）に対して、例えば、メッセージ「視聴中の番組とは異なる番組が録画可能になりました。」を表示する。この結果、搭乗者は、現在、視聴している番組とは異なる番組を録画することができることを知る。そして、搭乗者が、図示せぬ操作部を操作し、内蔵チューナ１２の受信チャンネルを設定するとともに、録画を開始する指示を行った場合には、内蔵チューナ１２によって受信された所望のチャンネルの放送信号に対応するＡＶ信号が内蔵チューナ１２から出力され、ＨＤＤ１３は、このＡＶ信号を記録する。
【００２６】
つぎに、図３を参照して、内蔵チューナ１２および外部チューナ２０の出力先を選択する処理について説明する。すなわち、図３に示す処理は、外部チューナ２０が接続された際に、内蔵チューナ１２および外部チューナ２０から出力されるＡＶ信号の供給先を、フロントディスプレイ３０およびリアディスプレイ４０から選択するための処理である。図３のフローチャートの処理が開始されると、つぎのステップが実行される。すなわち、ステップＳ３０では、マイクロコンピュータ１１は、例えば、フロントディスプレイ３０の表示画面に、図４（Ａ）に示すような内蔵チューナ設定画面を表示させる。この表示例では、表示部６０内の最上部には、タイトル６１としての「内蔵チューナ設定画面」が表示され、その下には、「ＵＰ」「ＤＯＷＮ」ボタン６２、表示部６３、録画ボタン６４、視聴リアボタン６５、および、視聴フロントボタン６６が表示されている。ここで、「ＵＰ」「ＤＯＷＮ」ボタン６２は、受信対象となるチャンネルを変更する際に操作される。表示部６３には、受信対象となるチャンネルの番組名が表示される。なお、この例では、番組名として「○○○」が表示されている。録画ボタン６４は、内蔵チューナ１２で受信しているチャンネルの放送を録画する際に操作される。視聴リアボタン６５は、内蔵チューナ１２で受信しているチャンネルの放送をリアディスプレイ４０に供給して表示する際に操作される。視聴フロントボタン６６は、内蔵チューナ１２で受信しているチャンネルの放送をフロントディスプレイ３０に供給して表示する際に操作される。なお、録画ボタン６４、視聴リアボタン６５、および、視聴フロントボタン６６は、択一選択ボタンとされており、これらの３つのうちのいずれか１つを選択可能とされる。
【００２７】
ステップＳ３１では、マイクロコンピュータ１１は、図４（Ａ）に示す画面において、「ＵＰ」「ＤＯＷＮ」ボタン６２が操作された場合には、受信チャンネルの選択処理を実行する。
【００２８】
ステップＳ３２では、マイクロコンピュータ１１は、ステップＳ３１において選択された受信チャンネルに対応する番組名を、表示部６３に表示する。
【００２９】
ステップＳ３３では、マイクロコンピュータ１１は、図４（Ａ）に示す画面において、録画ボタン６４が選択されているか否かを判定し、選択されている場合（ステップＳ３３；Ｙｅｓ）にはステップＳ３４に進み、それ以外の場合（ステップＳ３３；Ｎｏ）にはステップＳ３５に進む。
【００３０】
ステップＳ３３において、録画ボタン６４が選択された状態であると判定された場合にはステップＳ３４に進み、マイクロコンピュータ１１は、既にＨＤＤ１３側を選択しているスイッチ１４の選択状態を保持したまま、ＨＤＤ１３に対して制御信号を送り、内蔵チューナ１２によって受信された放送のＡＶ信号の記録を開始する。例えば、図４（Ａ）の画面に示す設定がされた場合には、内蔵チューナ１２によって受信された番組名「○○○」のＡＶ信号がＨＤＤ１３に供給されてそこに記録される。
【００３１】
ステップＳ３５では、マイクロコンピュータ１１は、図４（Ａ）の視聴フロントボタン６６が選択されているか否かを判定し、選択されている場合（ステップＳ３５；Ｙｅｓ）にはステップＳ３６に進み、それ以外の場合（ステップＳ３５；Ｎｏ）にはステップＳ３９に進む。
【００３２】
ステップＳ３６では、マイクロコンピュータ１１は、図４（Ｂ）に示す外部チューナの設定画面において視聴フロントボタンが選択されているか否かを判定し、選択されている場合（ステップＳ３６；Ｙｅｓ）にはステップＳ３７に進み、それ以外の場合（ステップＳ３６；Ｎｏ）にはステップＳ３８に進む。なお、図４（Ｂ）に示す表示例では、表示部８０内の最上部には、タイトル８１としての「外部チューナ設定画面」が表示され、その下には、「ＵＰ」「ＤＯＷＮ」ボタン８２、表示部８３、視聴リアボタン８５、および、視聴フロントボタン８６が表示されている。ここで、「ＵＰ」「ＤＯＷＮ」ボタン８２は、受信対象となるチャンネルを変更する際に操作される。表示部８３には、受信対象となるチャンネルの番組名が表示される。なお、この例では、番組名として「○○○」が表示されている。視聴リアボタン８５は、外部チューナ２０で受信しているチャンネルの放送をリアディスプレイ４０に供給して表示する際に操作される。視聴フロントボタン８６は、外部チューナ２０で受信しているチャンネルの放送をフロントディスプレイ３０に供給して表示する際に操作される。なお、視聴リアボタン８５、および、視聴フロントボタン８６は、択一選択ボタンとされており、これらの２つのうちのいずれか１つを選択可能とされる。
【００３３】
ステップＳ３７では、マイクロコンピュータ１１は、スイッチ１５の接続を、スイッチ１４側に設定する。この結果、外部チューナ２０から出力されたＡＶ信号は、リアディスプレイ４０に供給される。
【００３４】
ステップＳ３８では、マイクロコンピュータ１１は、スイッチ１４をスイッチ１６側に設定する。この結果、内蔵チューナ１２から出力されたＡＶ信号が、フロントディスプレイ３０に供給される。
【００３５】
以上のステップＳ３５〜Ｓ３８の処理により、内蔵チューナ１２の設定画面において視聴フロントボタン６６が選択された際に、外部チューナ２０の設定画面において視聴フロントボタン８６が選択されている場合には、内蔵チューナ１２および外部チューナ２０からの２つのＡＶ信号の出力先がともにフロントディスプレイとなることを回避するために、外部チューナ２０の出力先をリアディスプレイ４０に自動的に変更することができる。これにより、２つのチューナの出力先がコンフリクトすることを防止できる。
【００３６】
ステップＳ３９では、マイクロコンピュータ１１は、図４（Ａ）の視聴リアボタン６５が選択されているか否かを判定し、選択されている場合（ステップＳ３９；Ｙｅｓ）にはステップＳ４０に進み、それ以外の場合（ステップＳ３９；Ｎｏ）にはステップＳ３３に戻り、前述の場合と同様の処理を繰り返す。
【００３７】
ステップＳ４０では、マイクロコンピュータ１１は、図４（Ｂ）に示す外部チューナの設定画面において視聴リアボタン８５が選択されているか否かを判定し、選択されている場合（ステップＳ４０；Ｙｅｓ）にはステップＳ４１に進み、それ以外の場合（ステップＳ４０；Ｎｏ）にはステップＳ４２に進む。
【００３８】
ステップＳ４０において、視聴リアボタン８５が選択されていると判定された場合には、ステップＳ４１に進み、マイクロコンピュータ１１は、スイッチ１６の接続を、スイッチ１４側に設定する。この結果、外部チューナ２０から出力されたＡＶ信号は、フロントディスプレイ３０のみに供給される。
【００３９】
ステップＳ４２では、マイクロコンピュータ１１は、スイッチ１４の接続を、スイッチ１６側に設定する。この結果、内蔵チューナ１２から出力されたＡＶ信号は、リアディスプレイ４０に供給される。
【００４０】
以上のステップＳ３９〜Ｓ４２の処理により、内蔵チューナ１２の設定画面において視聴リアボタン６５が選択された際に、外部チューナ２０の設定画面において視聴リアボタン８５が選択されている場合には、内蔵チューナ１２および外部チューナ２０からのＡＶ信号の出力先がともにリアディスプレイ４０となることを回避するために、外部チューナ２０の出力先をフロントディスプレイ３０に自動的に変更することができる。これにより、２つのチューナの出力先がコンフリクトすることを防止できる。
【００４１】
以上に説明したように、本発明の第１実施形態によれば、外部チューナ２０が接続されている場合には、内蔵チューナ１２を録画用に設定し、外部チューナ２０を視聴用に設定することができる。内蔵チューナ１２は、ワンセグ放送を受信するものであり、ワンセグ放送は、１２セグ放送（ＨＤＴＶ放送）に比較して、放送信号の伝送レートが低い。このため、ワンセグ放送は１２セグ放送に比較して解像度が低いものの、広範囲で安定して受信することができることから、このようなワンセグ放送を録画用に設定することにより、車両の移動に拘わらず、安定した録画を行うことができる。
【００４２】
また、第１実施形態によれば、内蔵チューナ１２と外部チューナ２０の双方が視聴用に設定されている場合であって、これらの出力先が同一のディスプレイを指定している場合には、一方のチューナの出力信号の供給先を他のディスプレイに自動的に変更するようにしたので、信号のコンフリクトの発生を防止できる。
【００４３】
（Ｃ）第２実施形態の構成
図５は、本発明の第２実施形態の構成例を示す図である。この図において、図１の場合と同様の部分には、同一の符号を付してその説明を省略する。なお、図５の例では、図１の場合と比較して、マイクロコンピュータ１１にナビゲーション装置９０が接続されている。また、スイッチ１７が新たに追加されている。それ以外の構成は、図１の場合と同様である。ここで、ナビゲーション装置９０は、複数のＧＰＳ（Global Positioning System）衛星から送信された測位信号を受信し、これらの信号に付与されている時刻信号の受信時間の差分に基づいて、三角法により自己の位置情報（緯度情報、経度情報、および、高度情報）を生成し、出力する。また、ナビゲーション装置９０は、ナビゲーションを行うための地図情報を有するとともに、デジタル放送の受信エリアに関する情報を有している。スイッチ１７は、例えば、半導体スイッチによって構成され、マイクロコンピュータ１１の制御に応じて、スイッチ１４の出力および外部チューナ２０の出力のいずれか一方を選択し、ＨＤＤ１３に出力する。
【００４４】
（Ｄ）第２実施形態の動作
つぎに、本発明の第２実施形態の動作について説明する。図６は、第２実施形態の動作を説明するためのフローチャートである。図６に示す処理は、車載用放送受信装置１０にナビゲーション装置９０が接続された状態で電源が投入された場合に実行される。このフローチャートの処理が開始されると、つぎのステップが実行される。すなわち、ステップＳ５０では、マイクロコンピュータ１１は、録画の実行が指示されたか否かを判定する。この結果、例えば、搭乗者から録画の指示がされたと判定した場合（ステップＳ５０；Ｙｅｓ）の場合には、ステップＳ５１に進み、それ以外の場合（ステップＳ５０；Ｎｏ）には処理を終了する。
【００４５】
ステップＳ５１では、マイクロコンピュータ１１は、ナビゲーション装置９０から現在位置を示す情報取得する。具体的には、マイクロコンピュータ１１は、ナビゲーション装置９０に対して、現在位置を供給するように要求する。その結果、ナビゲーション装置９０は、複数のＧＰＳ衛星から送信される信号の時間差に基づいて、三角法により自車の位置を算出し、得られた情報（緯度および経度情報）をマイクロコンピュータ１１に供給する。
【００４６】
ステップＳ５２では、マイクロコンピュータ１１は、ナビゲーション装置９０に対して、現在の自社位置に対する受信エリアを特定するように要求する。この結果、ナビゲーション装置９０は、例えば、ＨＤＤ（Hard Disk Drive）（不図示）に地図情報とともに、受信エリアに関する情報を有している。この受信エリアに関する情報は、例えば、図７に示すように、各放送局の位置と、その放送局の周囲に形成される受信エリアの範囲とを示す情報である。受信エリアとしては、いわゆる１２セグ放送としてのＨＤＴＶ放送およびワンセグ放送が受信可能な１２セグ受信可能エリアと、いわゆるワンセグ放送のみが受信可能なワンセグ受信可能エリアとが存在する。ナビゲーション装置９０は、自車の緯度および経度情報から、自車位置を特定し、当該自車位置が属している受信エリアを特定する。
【００４７】
ステップＳ５３では、マイクロコンピュータ１１は、ステップＳ５２において特定された受信エリアに基づいて、自車が１２セグ放送を受信可能なエリア内に属しているか否かを判定し、１２セグ放送を受信可能なエリア内に属していると判定した場合（ステップＳ５３；Ｙｅｓ）にはステップＳ５４に進み、それ以外の場合（ステップＳ５３；Ｎｏ）にはステップＳ５５に進む。
【００４８】
ステップＳ５４では、マイクロコンピュータ１１は、外部チューナ２０の出力を選択して、ＨＤＤ１３に供給する。具体的には、マイクロコンピュータ１１は、スイッチ１７の接続を外部チューナ２０側（下側）に設定する。この結果、ＨＤＤ１３には外部チューナ２０からの１２セグ放送のＡＶ信号が供給される。
【００４９】
ステップＳ５５では、マイクロコンピュータ１１は、内蔵チューナ１２の出力を選択して、ＨＤＤ１３に供給する。具体的には、マイクロコンピュータ１１は、スイッチ１７の接続を内蔵チューナ１２側（上側）に設定する。この結果、ＨＤＤ１３には内蔵チューナ１２からのワンセグ放送のＡＶ信号が供給される。
【００５０】
ステップＳ５６では、マイクロコンピュータ１１は、ＨＤＤ１３に対して、供給されているＡＶ信号を録画させる。この結果、１２セグ放送を受信可能なエリア内に自車が位置している場合には、外部チューナ２０からの１２セグ放送のＡＶ信号がＨＤＤ１３に記録され、それ以外の場合には内蔵チューナ１２からのワンセグ放送のＡＶ信号がＨＤＤ１３に記録される。
【００５１】
以上に説明したように、本発明の第２実施形態によれば、自車が属している放送エリアに応じて、１２セグ放送を録画するか、または、ワンセグ放送を受信するかを決定するようにしたので、１２セグ受信可能エリア内に自車が位置している場合には、１２セグの高解像度での録画が可能になる。一方、それ以外の場合には、ワンセグによる録画が実行される。なお、ワンセグ放送は、１２セグ放送に比較して、受信可能エリアが広いことから、ワンセグ放送が選択された場合には、安定した録画を行うことができる。
【００５２】
（Ｅ）変形実施の態様
なお、上述した各実施形態は、あくまでも本発明の一態様を示すものであり、本発明の範囲内で任意に変形および応用が可能であることは勿論である。
例えば、以上の各実施形態では、画像をＨＤＤ１３に記録するようにしたが、これ以外にも、例えば、ＥＥＰＲＯＭ（Electrically Erasable Programmable ROM）に記録するようにしてもよい。
【００５３】
また、以上の第２実施形態では、自車が属している放送エリアに応じて、内蔵チューナ１２の出力および外部チューナ２０の出力のいずれか一方を録画対象とするようにしたが、放送エリアによって判定するのではなく、受信強度が所定の閾値よりも高い場合には、１２セグ放送を記録し、閾値よりも低い場合にはワンセグ放送を記録するようにしてもよい。受信強度ではなく、例えば、エラーの発生レートが所定の閾値以下である場合に、１２セグ放送を受信するようにしてもよい。
【００５４】
また、受信状況や放送エリアではなく、ＨＤＤ１３の記憶可能な容量の残量を計算し、残量が所定の値よりも大きい場合には、外部チューナ２０から出力される１２セグ放送を記録し、所定の値よりも小さい場合には、内蔵チューナ１２から出力されるワンセグ放送を記録するようにしてもよい。そのような方法によれば、上記残量に応じて最適な放送を選択することが可能になる。なお、残量を判定する際には、現在、選択されているチャンネルの放送番組に関する情報を取得し、当該番組の放送時間に基づいて、録画のために必要な記憶容量を計算し、当該記憶容量と残量との比較によって、いずれの放送を録画するかを選択するようにしてもよい。
【００５５】
また、録画用に選択されなかった側の放送信号については、視聴用としてフロントディスプレイ３０またはリアディスプレイ４０に供給して表示するようにしてもよい。具体的には、外部チューナ２０の受信信号が視聴用に選択された場合には、内蔵チューナ１２の受信信号を録画用に選択し、外部チューナ２０の受信信号が録画用に選択された場合には、内蔵チューナ１２の受信信号を視聴用に選択することができる。
【００５６】
同様にして、外部チューナ２０の受信信号がフロントディスプレイ３０の視聴用に選択された場合には、内蔵チューナ１２の受信信号をリアディスプレイ４０の視聴用に選択し、外部チューナ２０の受信信号がリアディスプレイ４０の視聴用に選択された場合には、内蔵チューナ１２の受信信号をフロントディスプレイ３０の視聴用に選択することができる。
【図面の簡単な説明】
【００５７】
【図１】第１実施形態の構成例を示すブロック図である。
【図２】第１実施形態の動作を説明するフローチャートである。
【図３】第１実施形態の動作を説明するフローチャートである。
【図４】設定画面の一例を示す図である。
【図５】第２実施形態の構成例を示すブロック図である。
【図６】第２実施形態の動作を説明するフローチャートである。
【図７】受信エリアを説明するための図である。
【符号の説明】
【００５８】
１０  車載用放送受信装置
１１  マイクロコンピュータ
１２  内蔵チューナ
１３  ＨＤＤ
１４〜１６  スイッチ
２０  外部チューナ
３０  フロントディスプレイ
４０  リアディスプレイ
９０  ナビゲーション装置
【図１】
2009267494.tif 000003
【図２】
2009267494.tif 000004
【図３】
2009267494.tif 000005
【図４】
2009267494.tif 000006
【図５】
2009267494.tif 000007
【図６】
2009267494.tif 000008
【図７】
2009267494.tif 000009